(57)【要約】【課題】  空気や水の浄化を行なって切り花や木の枝などの寿命を長くすることができるものでありながら、切り花や木の枝などの配置の自由度が高くて使用しやすい炭付き剣山を提供する。【解決手段】  切り花や木の枝などを差し込んで保持するための剣山１に、炭で形成される吸着部材２を一体に設ける。吸着部材２の吸着作用により空気や水の浄化を行なう。剣山１に切り花や木の枝などを差し込んで自由に配置することができる。【選択図】  図１
2006130225.tif 000002
【特許請求の範囲】
【請求項１】
切り花や木の枝などを差し込んで保持するための剣山に、炭で形成される吸着部材を一体に設けて成ることを特徴とする炭付き剣山。
【請求項２】
炭として竹炭を用いて成ることを特徴とする請求項１に記載の炭付き剣山。
【請求項３】
剣山の周りを囲む枠状に吸着部材を形成し、剣山と吸着部材との間に重り材を設けて成ることを特徴とする請求項１又は２に記載の炭付き剣山。
【請求項４】
重り材がセメントと黒砂と炭粉末との混合物であることを特徴とする請求項３に記載の炭付き剣山。
【請求項５】
炭を輪切りにすることにより枠状の吸着部材を形成して成ることを特徴とする請求項３又は４に記載の炭付き剣山。
【請求項６】
炭のブロックを複数個並べて枠状の吸着部材を形成して成ることを特徴とする請求項３又は４に記載の炭付き剣山。
【請求項７】
炭の切断面を吸着部材の表面に露出させて成ることを特徴とする請求項１乃至６のいずれかに記載の炭付き剣山。
【発明の詳細な説明】
【技術分野】
【０００１】
本発明は、生け花などに用いられる炭付き剣山に関するものである。
【背景技術】
【０００２】
従来より、空気や水の浄化を図るために炭（木を蒸し焼きにした炭化物）を用いることが行なわれており、また、炭に切り花や木の枝などを差し込むための孔を複数個設け、これを剣山として用いることが行なわれている（例えば、特許文献１参照）。
【特許文献１】実用新案登録第３０５４７６０号公報
【発明の開示】
【発明が解決しようとする課題】
【０００３】
しかし、上記特許文献１に記載の剣山では、切り花などを差し込むための孔の位置が予め決められてしまうために、通常の剣山に比べて切り花などの配置が限定されてしまい、使用しにくいという問題があった。
【０００４】
本発明は上記の点に鑑みてなされたものであり、空気や水の浄化を行なって切り花や木の枝などの寿命を長くすることができるものでありながら、切り花や木の枝などの配置の自由度が高くて使用しやすい炭付き剣山を提供することを目的とするものである。
【課題を解決するための手段】
【０００５】
本発明の炭付き剣山は、切り花や木の枝などを差し込んで保持するための剣山１に、炭で形成される吸着部材２を一体に設けて成ることを特徴とするものである。
【０００６】
本発明では、吸着部材２の吸着作用により空気や水の浄化を行なって切り花や木の枝などの寿命を長くすることができるものでありながら、剣山１に切り花や木の枝などを差し込んで自由に配置することができ、通常の剣山と同様に切り花や木の枝などの配置の自由度が高くて使用しやすいものである。
【０００７】
本発明にあっては、炭として竹炭を用いるのが好ましく、これにより、木炭で吸着部材２を形成する場合に比べて、吸着部材２の吸着性能を高くすることができ、水や空気の浄化性能を高くすることができるものである。
【０００８】
また、本発明にあっては、剣山１の周りを囲む枠状に吸着部材２を形成し、剣山１と吸着部材２との間に重り材３を設けることができるものであり、重り材３により、水中で使用しても吸着部材２等が浮揚しないようにすることができ、使い勝手を損なわないようにすることができるものである。
【０００９】
また、本発明にあっては、重り材３がセメントと黒砂と炭粉末との混合物であることが好ましく、これにより、重り材３の外観を吸着部材２に近似させることができ、外観を損なわないようにすることができるものである。
【００１０】
また、本発明にあっては、炭を輪切りにすることにより枠状の吸着部材２を形成することができるものであり、これにより、炭の自然な形状をそのまま利用して吸着部材２を形成することができ、炭の自然感を活かすことができるものである。
【００１１】
また、本発明にあっては、炭のブロック２ａを複数個並べて枠状の吸着部材２を形成することができるものであり、吸着部材２の形状や大きさを自由に設定することができ、所望の形状や大きさを有する定型物を量産しやすくなるものである。
【００１２】
また、本発明にあっては、炭の切断面を吸着部材２の表面に露出させるのが好ましく、これにより、炭の多孔面となる切断面を空気や水に接触させやすくすることができ、吸着部材２の吸着性能が発揮しやすくなるものである。
【発明の効果】
【００１３】
本発明は、空気や水の浄化を行なって切り花や木の枝などの植物の寿命を長くすることができるものでありながら、切り花や木の枝などの植物の配置の自由度が高くて使用しやすいものであり、創作性の高い生け花を作成可能とし、しかも、黒色により癒し効果を期待することができるものである。
【発明を実施するための最良の形態】
【００１４】
以下、本発明を実施するための最良の形態を説明する。
【００１５】
本発明の炭付き剣山は、図１に示すように、剣山１と吸着部材２とを接合して一体的に形成したものである。
【００１６】
剣山１は従来から生け花等に用いられているものであって、円盤状等の土台部１０の上面に多数本の保持針１１を立設することにより形成されている。また、剣山１はステンレス鋼などの金属で形成することができる。
【００１７】
吸着部材２を形成する材料の炭としては竹炭を用いるのが好ましい。竹は木材よりも繊維質が多いために、竹を用いて形成される竹炭は木炭よりも細孔の割合が多い多孔質材料となるものであり、従って、吸着部材２の吸着性能を高くすることができ、水や空気の浄化性能を高くすることができるものである。また、吸着部材２は竹炭を適当な長さに切断して使用するが、この竹炭の切断面を上向きになるように配置して吸着部材２の上面に露出させるのが好ましい。竹炭の切断面は他の部分に比べて、多数の細孔が形成された多孔面となっており、この切断面を吸着部材２の上面に露出させることによって、吸着部材２が吸着性能を発揮しやすくなるものである。また、吸着部材２は剣山１の側方周りを囲むような枠状に形成するのが好ましく、これにより、吸着部材２で剣山１の側面等を覆って見えにくくすることができ、外観を向上させることができる。
【００１８】
本発明では、剣山１と吸着部材２との間に重り材３の硬化物が充填されて設けられており、この重り材３によって、水中で使用しても浮揚しないようにすることができるものである。重り材３はセメントと黒砂と炭粉末との混合物の硬化物であって、例えば、セメントと黒砂とを重量比で１：１の割合で混合したセメント黒砂混合物を調製し、このセメント黒砂混合物９重量部に対して炭粉末１重量部の割合で配合して調製することができる。このような重り材３は色などの外観を炭の吸着部材２の外観に近似させることができ、重り材３が炭のような高級感のある外観を呈することになって、外観を損なわないようにすることができる。尚、剣山１は重り材３の略中央部に形成された凹部１７内に収納されている。
【００１９】
そして、本発明の炭付き剣山を製造するにあたっては、以下のようにすることができる。まず、長尺の竹炭を所定の長さに輪切りにして枠状あるいは筒状の吸着部材２を形成する。この場合、竹炭の自然な形で吸着部材２を形成することができる。吸着部材２の長さは剣山１の高さ寸法などに応じて所望の長さに設定することができ、例えば、剣山１の高さ寸法の１．５倍の長さにすることができる。
【００２０】
次に、図２（ａ）（ｂ）に示すように、切断した吸着部材２の外周に成形枠体１２を配置する。成形枠体１２は、例えば、塩化ビニル樹脂などの合成樹脂製の粘着テープを吸着部材２の全周に亘って貼り付けることによって形成することができ、また、成形枠体１２の上端は吸着部材２の上端と同じ高さに揃えるようにするが、成形枠体１２の下部は脚部１２ａとして吸着部材２の下端より３〜１０ｍｍ程度下側に突出させるようにする。
【００２１】
次に、吸着部材２を内側に保持した成形枠体１２の脚部１２ａを成形プレート１３に載せる。これにより、成形枠体１２の下面開口が成形プレート１３により閉塞されると共に吸着部材２の切断面が上向きに配置される。
【００２２】
次に、図３（ａ）に示すように、成形枠体１２の脚部１２ａの内側空間及び吸着部材２の内側空間に、セメントと黒砂と炭粉末との混合物を水で混練した硬化前の重り材３を流し込む。ここで、流動性を有する硬化前の重り材３は水の配合量等を適宜調整して成形しやすい粘度にする。また、硬化前の重り材３を流し込む量は成形枠体１２や吸着部材２の大きさ等により適宜設定可能であるが、吸着部材２の高さ寸法が剣山１の高さ寸法の１．５倍程度のものであれば、成形枠体１２の１／３程度の高さまで硬化前の重り材３を流し込むようにする。
【００２３】
次に、図３（ｂ）に示すように、吸着部材２の内側空間に流し込んだ硬化前の重り材３の略中央部に、保持針１１を上向きにした状態で剣山１を載せる。この時、保持針１１の上端を吸着部材２の上端の高さと揃えるか少し下になるようにする。次に、吸着部材２の内側空間に流し込んだ硬化前の重り材３よりも上側において、吸着部材２の内周面に接着剤１４を塗布する。次に、図３（ｃ）に示すように、剣山１の側面を囲うようにして、ゴム製等の筒状のパッキン１５を配置する。次に、図３（ｄ）に示すように、吸着部材２の上端に達するまで吸着部材２の内側空間に硬化前の重り材３をさらに流し込む。この後、成形枠体１２に流し込んだ硬化前の重り材３の乾燥がやや進んだ時点でパッキン１５を取り外し、さらに、成形枠体１２に流し込んだ硬化前の重り材３を完全に硬化させる。この後、成形枠体１２と成形プレート１３とを取り外して脱型することによって、図１に示すような本発明の炭付き剣山を形成することができる。
【００２４】
上記の場合、長尺の竹炭を輪切りにして吸着部材２を形成しているが、これに限らず、複数個の炭のブロック（小片）２ａを用いて吸着部材２を形成することができる。この場合は、吸着部材２の形状や大きさを自由に設定することができ、所望の形状や大きさを有する定型物を量産しやすくなるものである。
【００２５】
複数個の炭のブロック２ａを用いて吸着部材２を形成するには、上記と同様の粘着テープ１６に複数個の炭のブロック２ａを並べて接着し、これを四角枠状や円枠状、楕円枠状の金属製あるいは木製等の型枠で形成される成形枠体１２の内側面に沿って嵌め込む。この後は、上記と同様にして重り材３や剣山１を配置することによって、本発明の炭付き剣山を形成することができる。
【００２６】
本発明の炭付き剣山では、生花などから発生するエチレンガスなどの空気中の不純物や残留塩素及び生花などから発生する腐食物などの水中の不純物を吸着部材２で吸着することができ、空気や水を浄化することができるものであり、例えば、生花の寿命が二割程度向上したり水の濁りが少なくなるものである。
【００２７】
尚、本発明の炭付き剣山は、吸着部材２の吸着性能が低下したりして使用後に取り替える場合は、剣山１の裏面をハンマー等で打って剣山１と吸着部材２と重り材３とを分離した後、剣山１以外を廃棄することができる。剣山１は再利用しても良い。
【図面の簡単な説明】
【００２８】
【図１】本発明の実施の形態の一例を示す斜視図である。
【図２】同上の製造工程の一例を示し、（ａ）は平面図、（ｂ）は断面図である。
【図３】同上の製造工程の一例を示し、（ａ）〜（ｄ）は断面図である。
【図４】同上の他の実施の形態の一例を示す斜視図である。
【図５】同上の製造工程の一例を示す平面図である。
【図６】同上の成形枠体の一例を示し、（ａ）（ｂ）は平面図である。
【図７】同上の製造工程の一例を示す平面図である。
【符号の説明】
【００２９】
１  剣山
２  吸着部材
２ａ  ブロック
３  重り材
【図１】
2006130225.tif 000003
【図２】
2006130225.tif 000004
【図３】
2006130225.tif 000005
【図４】
2006130225.tif 000006
【図５】
2006130225.tif 000007
【図６】
2006130225.tif 000008
【図７】
2006130225.tif 000009